(57)【要約】      （修正有）【課題】軽いマッチ箱を吹き矢で射落とし、ダルマなどの重量物を連鎖的に落下させて吹き矢のカラクリ仕掛けを可能にする用具を提供する。【解決手段】ピン１に糸で吊るしたマッチ箱２を射落とすことによりマッチ箱２に引かれて動かされる７字型レバー４のフックに吊してあった錘６が落下して、その錘６の落下エネルギーによりダルマ７を棚から落下させることができる。【選択図】図１
0003117567.tif 000002
【実用新案登録請求の範囲】
【請求項１】
スポンジ板にピンで可動的に固定する吹き矢カラクリ仕掛け用の７字の型をしたレバーで、そのアームの端から糸でマッチ箱に連結して、レバーの他端のフックに錘を懸垂する。マッチ箱に矢が当たって落下するとアームが下に引かれて錘がフックから外れ、その落下エネルギーで、錘に糸で連結してある棚の上のダルマが引き落とされるような構造の吹き矢カラクリ仕掛けの７字型レバー。
【考案の詳細な説明】
【技術分野】
【０００１】吹き矢のカラクリ仕掛けは軽い矢で重いダルマなどを動かすことが必要であるが、そのエネルギーを作り出す方法が今まで知られていなかった。
本考案は７字型レバーを利用して的のマッチ箱に命中した矢との連鎖反応によりエネルギーを生み出しカラクリ仕掛けを動かす方法である。
【背景技術】
【０００２】吹き矢のカラクリ仕掛けは江戸時代にあったことが文献で知られているが廃れてしまい今は行われていない。吹き矢の軽い矢でカラクリ仕掛けを動かすには大きなエネルギーを必要とする。そのために本考案が発明された。
【考案が解決しようとする課題】
【０００３】吹き矢の矢がダルマなど重いものを動かして落下させる手段が本考案の課題である。
【課題を解決するための手段】
【０００４】まず吹き矢の矢が吊してあるマッチ箱に当たってマッチ箱が落下すると、マッチ箱から糸で繋がっている７字型レバーのアームが下に引かれ、レバーの先に吊るしてあった錘が落下し、その落下エネルギーによりダルマが棚から引き落とされるようにした。
【考案の効果】
【０００５】吹き矢の矢のように軽い矢でも、マッチの落下、７字型レバーの作動、錘の落下が連鎖的に作動すればダルマのような重い物も動かすことができる。３はマッチ２とレバー４を連結する糸、５は７字型レバー４を固定するスポンジ板に刺したピン。
【考案を実施するための最良の形態】
【０００６】スポンジ板の的の中心が床から約１６０ｃｍの高さになるように壁などに掛けておき、そこにピンで７字型レバーを止める。マッチ箱もスポンジ板に刺したピンにマッチを吊す糸の輪をかけて吊す。レバーのフックに錘を吊し、錘から糸で繋がるダルマはスポンジ板の上部の棚に載せておく。
【実施例】
【０００７】図１はスポンジ板の的にピンで止められた７字型レバーのを示している。マッチ箱符号２は糸で吊されており、糸の輪がピン符号１に掛けられている。マッチ箱符号２から糸符号３が７字型レバー符号４のアームに繋がれており、レバー符号４のフックに錘符号６が吊されている。錘符号６から糸が伸びて棚にのせてあるダルマ符号７に繋がっている。この状態でマッチ箱符号２に矢が当たってマッチ箱符号２が落下するとレバー符号４のアームが引き下げられ錘符号６が落下する。つぎに錘符号６に連結されているダルマ符号７が棚から落下する。
【図面の簡単な説明】
【符号の説明】
【０００８】１  マッチ箱を吊す糸の輪を止めるピンでスポンジ板の的に刺されている。
２  マッチ箱
３  マッチ箱と７字型レバーを繋ぐ糸
４  ７字型レバー
５  スポンジ板の的に刺した７字型レバーを止めるピン
６  錘
７  棚の上にのせたダルマ
【図１】
0003117567.tif 000003
【手続補正書】
【提出日】平成17年8月16日(2005.8.16)
【手続補正１】
【補正対象書類名】明細書
【補正対象項目名】全文
【補正方法】変更
【補正の内容】
【考案の詳細な説明】
【技術分野】
【０００１】吹き矢のカラクリ仕掛けは軽い矢で重いダルマなどを動かすことが必要であるが、そのエネルギーを作り出す方法が今まで知られていなかった。
本考案は７字型レバーを利用して的のマッチ箱に命中した矢との連鎖反応によりエネルギーを生み出しカラクリ仕掛けを動かす方法である。
【実施例】
【０００７】図１はスポンジ板の的にピンで止められた７字型レバーを示している。マッチ箱符号２は糸で吊されており、糸の輪がピン符号１に掛けられている。マッチ箱符号２から糸符号３が７字型レバー符号４のアームに繋がれており、レバー符号４のフックに錘符号６が吊されている。錘符号６から糸が伸びて棚にのせてあるダルマ符号７に繋がっている。この状態でマッチ箱符号２に矢が当たってマッチ箱符号２が落下するとレバー符号４のアームが引き下げられ錘符号６が落下する。つぎに錘符号６に連結されているダルマ符号７が棚から落下する。
【図面の簡単な説明】
【図１】  立面図
【符号の説明】
【０００８】１  マッチ箱を吊す糸の輪を止めるピンでスポンジ板の的に刺されている。
２  マッチ箱
３  マッチ箱と７字型レバーを繋ぐ糸
４  ７字型レバー
５  スポンジ板の的に刺した７字型レバーを止めるピン
６  錘
７  棚の上にのせたダルマ
【手続補正書】
【提出日】平成17年10月6日(2005.10.6)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】吹き矢のカラクリ仕掛けは軽い矢で重いダルマなどを動かすことが必要であるが、そのエネルギーを作り出す方法が今まで知られていなかった。
本考案は７字型レバーを利用して的のマッチ箱に命中した矢との連鎖反応によりエネルギーを生み出しカラクリ仕掛けを動かす方法である。
【背景技術】
【０００２】吹き矢のカラクリ仕掛けは江戸時代にあったことが文献で知られているが廃れてしまい今は行われていない。吹き矢の軽い矢でカラクリ仕掛けを動かすには大きなエネルギーを必要とする。そのために本考案が発明された。
【考案が解決しようとする課題】
【０００３】吹き矢の矢がダルマなど重いものを動かして落下させる手段が本考案の課題である。
【課題を解決するための手段】
【０００４】まず吹き矢の矢が吊してあるマッチ箱に当たってマッチ箱が落下すると、マッチ箱から糸で繋がっている７字型レバーのアームが下に引かれ、レバーの先に吊るしてあった錘が落下し、その落下エネルギーによりダルマが棚から引き落とされるようにした。
【考案の効果】
【０００５】吹き矢の矢のように軽い矢でも、マッチの落下、７字型レバーの作動、錘の落下が連鎖的に作動すればダルマのような重い物も動かすことができる。３はマッチ２とレバー４を連結する糸、５は７字型レバー４を固定するスポンジ板に刺したピン。
【考案を実施するための最良の形態】
【０００６】スポンジ板の的の中心が床から約１６０ｃｍの高さになるように壁などに掛けておき、そこにピンで７字型レバーを止める。マッチ箱もスポンジ板に刺したピンにマッチを吊す糸の輪をかけて吊す。レバーのフックに錘を吊し、錘から糸で繋がるダルマはスポンジ板の上部の棚に載せておく。
【実施例】
【０００７】図１はスポンジ板の的にピンで止められた７字型レバーのを示している。マッチ箱符号２は糸で吊されており、糸の輪がピン符号１に掛けられている。マッチ箱符号２から糸符号３が７字型レバー符号４のアームに繋がれており、レバー符号４のフックに錘符号６が吊されている。錘符号６から糸が伸びて棚にのせてあるダルマ符号７に繋がっている。この状態でマッチ箱符号２に矢が当たってマッチ箱符号２が落下するとレバー符号４のアームが引き下げられ錘符号６が落下する。つぎに錘符号６に連結されているダルマ符号７が棚から落下する。
【図面の簡単な説明】
【図１】  立面図
【符号の説明】
【０００８】１  マッチ箱を吊す糸の輪を止めるピンでスポンジ板の的に刺されている。
１  マッチ箱
２  マッチ箱と７字型レバーを繋ぐ糸
４  ７字型レバー
３  スポンジ板の的に刺した７字型レバーを止めるピン
４  錘
７  棚の上にのせたダルマ